(57)【要約】【課題】簡単な構成により排ガスの温度に応じて粒子状物質の捕集効果を切り換えられるようにする。【解決手段】ハニカム状にセル壁７で仕切られた多数のセル４を備えており且つ互いに隣接するセル４の排ガス上流側は目封じと上流開口を交互に有し下流側は各セルがすべて下流開口４ｂとなったパティキュレートフィルタ９を煙道２に配置し、パティキュレートフィルタ９の下流側に、上流開口を有する貫通セル４０の下流開口４ｂを開閉できる可動目封じ手段１１を設けると共に、温度を感知して変形することにより可動目封じ手段１１を移動させて貫通セル４０の下流開口４ｂの開閉を行わせる温度感知変形部材１５を設け、排ガスの高温時には貫通セル４０の下流開口４ｂを目封じして排ガスをセル壁７に通し、排ガスの低温時には貫通セル４０の下流開口４ｂを開放して排ガスを貫通セル４０内に直進させるようにする。【選択図】図２
2009133221.tif 000002
【特許請求の範囲】
【請求項１】
ハニカム状にセル壁で仕切られた多数のセルを備えており且つ互いに隣接するセルの排ガス上流側は目封じと上流開口を交互に有し下流側は各セルがすべて下流開口となったパティキュレートフィルタを煙道に配置し、該パティキュレートフィルタの上流側と下流側の一方に、上流開口を有する貫通セルを開閉できる可動目封じ手段を設け、排ガスの高温時には貫通セルを閉塞して排ガスをセル壁に通し、排ガスの低温時には貫通セルを開放して排ガスを貫通セル内に直進させるようにしたことを特徴とする排ガス浄化方法。
【請求項２】
可動目封じ手段がパティキュレートフィルタの下流側に配置された場合において、可動目封じ手段により閉塞している貫通セル内が所定圧力以上に上昇した時に可動目封じ手段をパティキュレートフィルタから離反させるようにしている請求項１に記載の排ガス浄化方法。
【請求項３】
前記パティキュレートフィルタの上流側に酸化触媒を設け、該酸化触媒により排ガスの温度を高めて前記パティキュレートフィルタに導くようにしている請求項１に記載の排ガス浄化方法。
【請求項４】
ハニカム状にセル壁で仕切られた多数のセルを備えており且つ互いに隣接するセルの排ガス上流側は目封じと上流開口を交互に有し下流側は各セルがすべて下流開口となっていて煙道に配置されたパティキュレートフィルタと、該パティキュレートフィルタの上流側と下流側の一方に配置して上流開口を有する貫通セルを開閉できる可動目封じ手段と、排ガスの高温時は貫通セルを閉塞して排ガスをセル壁に通すよう前記可動目封じ手段を移動させ、排ガスの低温時は貫通セルを開放して排ガスを貫通セル内に直進させるよう前記可動目封じ手段を移動させるセル切換手段とを備えたことを特徴とする排ガス浄化装置。
【請求項５】
セル切換手段が、温度を感知して変形することにより前記可動目封じ手段を移動させて貫通セルを開閉する温度感知変形部材である請求項４に記載の排ガス浄化装置。
【請求項６】
温度感知変形部材がバイメタルである請求項５に記載の排ガス浄化装置。
【請求項７】
温度感知変形部材が形状記憶合金である請求項５に記載の排ガス浄化装置。
【請求項８】
セル切換手段が、機械的に可動目封じ手段を移動させて貫通セルを閉塞する機械式駆動装置である請求項４に記載の排ガス浄化装置。
【請求項９】
可動目封じ手段がパティキュレートフィルタの下流側に配置された場合において、可動目封じ手段により閉塞している貫通セル内が所定圧力以上に上昇した時に可動目封じ手段をパティキュレートフィルタから離反させるように作動する逃がし手段を有する請求項４〜８のいずれか１つに記載の排ガス浄化装置。
【請求項１０】
前記可動目封じ手段は、板状を有してパティキュレートフィルタの上流側と下流側の一方の面に沿って移動可能に配置され、前記上流開口を有する貫通セルに対応する箇所に貫通孔を有しており、前記セル切換手段により移動されて貫通セルを開閉する目封じ板である請求項４〜９のいずれか１つに記載の排ガス浄化装置。
【請求項１１】
前記可動目封じ手段は、パティキュレートフィルタの上流側と下流側の一方に前記温度感知変形部材によってセルの長手方向へ移動可能に配置した支持架台に、前記セル切換上流開口を有する貫通セルの下流開口に対応して配置され、前記支持架台の移動により貫通セルの下流開口を開閉する目封じ針である請求項４〜９のいずれか１つに記載の排ガス浄化装置。
【請求項１２】
パティキュレートフィルタの上流に酸化触媒を備えて温度が高められた排ガスを前記パティキュレートフィルタに導くようにした請求項４〜１１のいずれか１つに記載の排ガス浄化装置。
【発明の詳細な説明】
【技術分野】
【０００１】
本発明は、排ガス浄化方法及び装置に係り、特にディーゼルエンジンから排出される排ガス中の粒子状物質を簡単な構成により排ガスの温度に応じて効果的に捕集するようにした排ガス浄化方法及び装置に関する。
【背景技術】
【０００２】
重質油や軽油を燃料とするディーゼルエンジンでは、未燃炭化水素と煤が一体化した粒子状物質（ＰＭ）が多く発生するため、公害の元凶になっていることが社会問題となっており、このため、ディーゼルエンジンから排出される粒子状物質を除去して低減するための研究、開発が進められている。
【０００３】
図１０は従来の自動車等のディーゼルエンジンに備えられている排ガス浄化装置の一例を示すもので、ディーゼルエンジン１の煙道２の上流側には、図１１に示す酸化触媒３（ＤＯＣ）を配置している。この酸化触媒３は、セラミックによってハニカム状のセル壁７で形成された各セル４が排ガスＷの流れ方向に貫通したフロースルータイプとなっており、更に前記各セル４には金属触媒が担持されており、排ガス中の可燃分を酸化触媒３で酸化させて排ガスＷの温度を上昇させるようになっている。
【０００４】
酸化触媒３の下流には、図１１に示すパティキュレートフィルタ８（ディーゼルパティキュレートフィルタ：ＤＰＦ）が設置されており、このパティキュレートフィルタ８は、セラミックによってハニカム状のセル壁７で形成された各セル４の上流側が目封じ５と上流開口４ａとを交互に有し、一方、セル４の下流側は、上流開口４ａを有するセル４は目封じ６され上流側が目封じ５されたセル４は下流開口４ｂとなっていて排ガスＷはセル壁７を通り抜けて濾過されるウォールスルータイプとなっており、更に前記各セル４には金属触媒が担持されている。
【０００５】
図１２の排ガス浄化装置を構成するパティキュレートフィルタ８では、セル壁７に対する排ガスＷのウォールスルーにより排ガスＷ中の粒子状物質は非常に優れた除去性能で捕集され、捕集された粒子状物質は自動車の高速走行時等の排ガス温度時に好適に燃焼されるようになっている。
【０００６】
一方、自動車の低速走行時には粒子状物質自体の排出量自体は減少するが、低速走行時には排ガス温度が低下するために粒子状物質が燃焼されずにパティキュレートフィルタ８に捕集され続け、そのために粒子状物質は堆積し、その後排ガス温度が上昇した時に堆積した粒子状物質が一挙に燃焼することによってパティキュレートフィルタ８を焼損するという問題を有していた。
【０００７】
このため、自動車等のディーゼルエンジンにおいては、低速走行時等の排ガス温度が低い時に燃料の噴射タイミングを調節する等の複雑な制御を行うことによって排ガス温度を上昇させ、これによってパティキュレートフィルタに堆積した粒子状物質を確実に燃焼させるようにした技術が確立されている。
【０００８】
一方、定置式の発電設備等のような産業用のディーゼルエンジンでは、排ガス温度を制御するような手段が備えられていないため、図１１に示した酸化触媒３のみを設置しており、このような酸化触媒３を設置した場合には、フロースルータイプであるために圧力損失の上昇が抑えられる反面、粒子状物質の排出量が多い高負荷運転時に粒子状物質の殆どがスルーして除去できない問題がある。このために、前記産業用のディーゼルエンジンにおいても図１２に示したパティキュレートフィルタ８を設置することが考えられるが、パティキュレートフィルタ８を設置するとウォールスルータイプのために排ガスの低温時に粒子状物質によってセル壁７が直ちに目詰まりを起こして排気圧力が急激に上昇し、短期間で使用不能となってしまう問題がある。更に、堆積した粒子状物質が一挙に燃焼した場合にはパティキュレートフィルタが焼損する問題がある。従って、パティキュレートフィルタを設置した場合にも安定した作動が行えるようにするためには、燃料の噴射タイミング等を制御するといった電気的な複雑な制御方法を採用することが必要となり、技術的、コスト的な問題を生じる。
【０００９】
尚、排ガス浄化装置と関連する一般的技術水準を示すものとしては、特許文献１、２がある。
【特許文献１】特開２００６−４６２８６号公報
【特許文献２】特開２００４−２７０６９０号公報
【発明の開示】
【発明が解決しようとする課題】
【００１０】
しかしながら、前記定置式の発電設備等のような産業用のディーゼルエンジンにおいても、排ガス中の粒子状物質の除去効果を高めることが要求されるようになってきており、このために安価な装置で粒子状物質を効果的に除去できるようにした技術の開発が望まれている。
【００１１】
本発明は、上記実情に鑑みてなしたもので、排ガス中の粒子状物質を簡単な構成により排ガスの温度に応じて切り換えて補集できるようにした排ガス浄化方法及び装置を提供しようとするものである。
【課題を解決するための手段】
【００１２】
本発明は、ハニカム状にセル壁で仕切られた多数のセルを備えており且つ互いに隣接するセルの排ガス上流側は目封じと上流開口を交互に有し下流側は各セルがすべて下流開口となったパティキュレートフィルタを煙道に配置し、該パティキュレートフィルタの上流側と下流側の一方に、上流開口を有する貫通セルを開閉できる可動目封じ手段を設け、排ガスの高温時には貫通セルを閉塞して排ガスをセル壁に通し、排ガスの低温時には貫通セルを開放して排ガスを貫通セル内に直進させるようにしたことを特徴とする排ガス浄化方法、に係るものである。
【００１３】
上記排ガス浄化方法において、可動目封じ手段がパティキュレートフィルタの下流側に配置された場合において、可動目封じ手段により閉塞している貫通セル内が所定圧力以上に上昇した時に可動目封じ手段をパティキュレートフィルタから離反させるようにしていることは好ましい。
【００１４】
又、上記排ガス浄化方法において、前記パティキュレートフィルタの上流側に酸化触媒を設け、該酸化触媒により排ガスの温度を高めて前記パティキュレートフィルタに導くようにしていることは好ましい。
【００１５】
本発明は、ハニカム状にセル壁で仕切られた多数のセルを備えており且つ互いに隣接するセルの排ガス上流側は目封じと上流開口を交互に有し下流側は各セルがすべて下流開口となっていて煙道に配置されたパティキュレートフィルタと、該パティキュレートフィルタの上流側と下流側の一方に配置して上流開口を有する貫通セルを開閉できる可動目封じ手段と、排ガスの高温時は貫通セルを閉塞して排ガスをセル壁に通すよう前記可動目封じ手段を移動させ、排ガスの低温時は貫通セルを開放して排ガスを貫通セル内に直進させるよう前記可動目封じ手段を移動させるセル切換手段とを備えたことを特徴とする排ガス浄化装置、に係るものである。
【００１６】
上記排ガス浄化装置において、セル切換手段が、温度を感知して変形することにより前記可動目封じ手段を移動させて貫通セルを開閉する温度感知変形部材であることは好ましい。
【００１７】
又、上記排ガス浄化装置において、温度感知変形部材がバイメタルであることは好ましい。
【００１８】
又、上記排ガス浄化装置において、温度感知変形部材が形状記憶合金であることは好ましい。
【００１９】
又、上記排ガス浄化装置において、セル切換手段が、機械的に可動目封じ手段を移動させて貫通セルを閉塞する機械式駆動装置であることは好ましい。
【００２０】
又、上記排ガス浄化装置において、可動目封じ手段がパティキュレートフィルタの下流側に配置された場合において、可動目封じ手段により閉塞している貫通セル内が所定圧力以上に上昇した時に可動目封じ手段をパティキュレートフィルタから離反させるように作動する逃がし手段を有することは好ましい。
【００２１】
又、上記排ガス浄化装置において、前記可動目封じ手段が、板状を有してパティキュレートフィルタの上流側と下流側の一方の面に沿って移動可能に配置され、前記上流開口を有する貫通セルに対応する箇所に貫通孔を有しており、前記セル切換手段により移動されて貫通セルを開閉する目封じ板であることは好ましい。
【００２２】
又、上記排ガス浄化装置において、前記可動目封じ手段が、パティキュレートフィルタの上流側と下流側の一方に前記温度感知変形部材によってセルの長手方向へ移動可能に配置した支持架台に、前記セル切換上流開口を有する貫通セルの下流開口に対応して配置され、前記支持架台の移動により貫通セルの下流開口を開閉する目封じ針であることは好ましい。
【００２３】
又、上記排ガス浄化装置において、パティキュレートフィルタの上流に酸化触媒を備えて温度が高められた排ガスを前記パティキュレートフィルタに導くようにしたことは好ましい。
【発明の効果】
【００２４】
本発明の排ガス浄化方法及び装置によれば、排ガスの温度に応じて可動目封じ手段を移動し、排ガスの温度が低い時には貫通セルを開放してパティキュレートフィルタをフロースルータイプに切り換え、又、排ガスの温度が高い時には貫通セルを閉塞してパティキュレートフィルタをウォールスルータイプに切り換えるようにしたので、産業用のディーゼルエンジン等のように燃料の噴射タイミングを電気制御するようにした複雑な装置を備えないディーゼルエンジンに対して、簡単な構成のパティキュレートフィルタを容易に適用して粒子状物質の除去効果を高められるという優れた効果を奏し得る。
【００２５】
また、排ガスの温度が低い時にパティキュレートフィルタをフロースルータイプに切り換えるため、粒子状物質によってセル壁が直ちに目詰まりして排気圧力が急激に上昇するといった問題を防止することができる。
【発明を実施するための最良の形態】
【００２６】
以下、本発明の実施の形態を添付図面を参照して説明する。
【００２７】
図１〜図５は本発明を実施する形態の一例を示すもので、図１はディーゼルエンジンの煙道に備えた排ガス浄化装置の全体図、図２は本発明に備えるパティキュレートフィルタと可動目封じ手段の形態の一例を示す切断側面図、図３はパティキュレートフィルタの構成と目封じ板を示す切断側面図、図４は図３の目封じ板が移動した状態を示す切断側面図、図５は目封じ板の貫通孔の配置を示す斜視図である。
【００２８】
図１に示すように、ディーゼルエンジン１の煙道２における酸化触媒３の下流側にパティキュレートフィルタ９を設ける。このパティキュレートフィルタ９は、図３、図４に示す如く、ハニカム状にセル壁７で仕切られた多数のセル４を備えており、且つ互いに隣接するセル４の排ガス上流側は目封じ５と上流開口４ａを交互に有しており、且つ下流側は各セル４がすべて下流開口４ｂとなっている。従って、パティキュレートフィルタ９の上流側においては各セル４に形成した目封じ５と上流開口４ａとが縦方向と横方向で交互に配置された市松模様となっており、更に上流開口４ａを有するセル４は下流側も下流開口４ｂとなっているために貫通セル４０となっている。
【００２９】
更に、上記パティキュレートフィルタ９の下流側には、図２に示す如く前記貫通セル４０の下流開口４ｂの開閉を行うセル切換手段１０を備えた可動目封じ手段１１を設置している。尚、可動目封じ手段１１は、上記パティキュレートフィルタ９の貫通セル４０の開閉を行うためのものであるため、可動目封じ手段１１はパティキュレートフィルタ９の上流側に設置するようにしてもよい。
【００３０】
図２〜図５は、前記セル切換手段１０を構成する可動目封じ手段１１の一例を示しており、この可動目封じ手段１１は、前記パティキュレートフィルタ９における上流開口４ａを有する貫通セル４０の下流開口４ｂに対応する箇所に貫通孔１２を有して他は目封じされた目封じ板１３を有している。この目封じ板１３に形成された貫通孔１２は、図５に示すように、前記パティキュレートフィルタ９の上流側において縦方向と横方向に目封じ５と上流開口４ａが交互に配置された市松模様と同様に、貫通孔１２を有している部分と目封じされた部分とが市松模様になっている。
【００３１】
目封じ板１３は、図２に示す如く、煙道２の内面に固定した案内部材１４により、パティキュレートフィルタ９の下流側の面に沿って排ガスＷの流れと直交する方向に移動可能に支持されている。更に、上記目封じ板１３は煙道２内を移動できるように、目封じ板１３の移動方向一側（図３の下側）においてセル４の１ピッチ分だけ長さを短くした切欠部１３'を有している。
【００３２】
更に、図２に示す如く目封じ板１３の下流側における煙道２の内面には、バイメタル又は形状記憶合金によって形成した温度感知変形部材１５の下流端を固定しており、該温度感知変形部材１５の上流端は前記目封じ板１３における切欠部１３'が形成された側と反対側の端部に固定されており、前記温度感知変形部材１５によって、セル切換手段１０が構成されている。
【００３３】
温度感知変形部材１５は、排ガスＷの温度を感知して左右方向（図２では上下方向）に曲がり変形するようになっており、排ガス温度が高い時には図３に示すようにパティキュレートフィルタ９の貫通セル４０に対して貫通孔１２の位置をずらして貫通セル４０の下流開口４ｂを閉塞した閉位置に目封じ板１３を移動させ、又、排ガス温度が低い時には図４に示すようにパティキュレートフィルタ９の貫通セル４０と前記貫通孔１２とが一致した開位置に目封じ板１３を移動させるようになっている。目封じ板１３を移動させる距離はセル４の１ピッチ分でよく、目封じ板１３の貫通孔１２が図５のように市松模様となっているため、目封じ板１３をセル４の１ピッチ分移動するのみで縦方向と横方向に有する貫通セル４０の下流開口４ｂを同時に開閉することができる。
【００３４】
次に、上記図示例の作動を説明する。
【００３５】
図１のディーゼルエンジン１からの排ガスＷは、煙道２に設けた酸化触媒３により酸化されることによって温度が上昇した後、パティキュレートフィルタ９に供給される。
【００３６】
パティキュレートフィルタ９に供給される排ガスＷの温度が低い時には、図２の温度感知変形部材１５は、図４に示すようにパティキュレートフィルタ９の貫通セル４０と目封じ板１３の貫通孔１２とが一致された閉位置に保持されるように目封じ板１３を移動させる。
【００３７】
従って、排ガスＷの温度が低い時は、上流開口４ａから貫通セル４０に導入された排ガスＷは目封じ板１３の貫通孔１２へ向かって直進するフロースルーとなる。排ガスＷの温度が低い時は粒子状物質の発生量も少ないため、パティキュレートフィルタ９がフロースルーとなっても排出される粒子状物質の量は少なく、又、フロースルーにおいてもパティキュレートフィルタ９を備えない場合に比して、多孔質のセル壁７によって粒子状物質が捕集される捕集分だけ粒子状物質の捕集効果を高めることができる。
【００３８】
一方、パティキュレートフィルタ９に供給される排ガスＷの温度が高くなると、温度感知変形部材１５は、図２、図３に示すようにパティキュレートフィルタ９の貫通セル４０が閉塞されて目封じ板１３の貫通孔１２と上流側が目封じ５されたセル４の下流開口４ｂとが一致した閉位置に保持されるように目封じ板１３を移動させる。
【００３９】
これにより、上流開口４ａから貫通セル４０に導入された排ガスＷはセル壁７を通り抜けて上流側が目封じ５されたセル４に導かれるウォールスルーとなる。従って、排ガスＷがセル壁７を通り抜ける間に粒子状物質は効果的に濾過され、高い除去性能で粒子状物質が捕集される。パティキュレートフィルタ９に捕集された粒子状物質は排ガスＷの温度が高いことによって直ちに燃焼される。
【００４０】
上記したように、排ガスＷの温度を感知して変形する温度感知変形部材１５からなるセル切換手段１０により可動目封じ手段１１の目封じ板１３を移動させて、排ガスＷの温度が低い時はパティキュレートフィルタ９の貫通セル４０の下流開口４ｂを開放してフロースルータイプに切り換え、又、排ガスＷの温度が高い時はパティキュレートフィルタ９の貫通セル４０の下流開口４ｂを閉塞してウォールスルータイプに切り換える操作を自動的に行うことができるので、産業用のディーゼルエンジン等のように燃料の噴射タイミングを電気制御するようにした複雑な装置を備えないディーゼルエンジンに対して簡単な構成のパティキュレートフィルタ９を容易に適用して粒子状物質の高い除去効果を発揮させることができる。
【００４１】
図６、図７は前記可動目封じ手段１１の他の形態を示したものであり、この可動目封じ手段１１は、前記パティキュレートフィルタ９における上流開口４ａを有する貫通セル４０の下流開口４ｂに嵌合して開閉できるようにした目封じ針１６を備えた支持架台１７を備えている。この支持架台１７における目封じ針１６を設けていない部分には開口１７'が形成されており排ガスＷが支持架台１７を通り抜けて下流に流動できるようになっている。前記支持架台１７に備えられる目封じ針１６は、図７に示すように、パティキュレートフィルタ９の上流側において縦方向と横方向に目封じ５と上流開口４ａが交互に形成された市松模様と同様に市松模様に配置されている。
【００４２】
前記支持架台１７の図６における上下方向中間位置と下流側の煙道２の内面との間には、排ガスＷの温度を感知して排ガスＷの流れ方向に曲がり変形するバイメタル又は形状記憶合金にて形成した温度感知変形部材１５が設けてあり、温度感知変形部材１５は、前記支持架台１７をパティキュレートフィルタ９のセル４の長手方向（図６では左右方向）に移動させて前記目封じ針１６を貫通セル４０の下流開口４ｂに対し嵌合して閉塞したり、離反して開放するようになっている。目封じ針１６は図７に示すように市松模様に配置されているため、支持架台１７を前後に移動するのみで上流開口４ａを有する縦方向と横方向の各貫通セル４０の下流開口４ｂを同時に開閉することができる。
【００４３】
図６、図７の形態では、パティキュレートフィルタ９に供給される排ガスＷの温度が低いときは、温度感知変形部材１５は実線の位置に変形して支持架台１７の目封じ針１６を後退させるため、パティキュレートフィルタ９の上流開口４ａを有する貫通セル４０の各下流開口４ｂが開放された開位置に保持される。
【００４４】
これにより、上流開口４ａから貫通セル４０に導入された排ガスＷはそのまま直進するフロースルーとなる。排ガスＷの温度が低い時は粒子状物質の発生量も少ないため、パティキュレートフィルタ９がフロースルーとなっても排出される粒子状物質の量は少なく、又、フロースルーにおいてもパティキュレートフィルタ９を備えない場合に比して、多孔質のセル壁７によって粒子状物質が捕集される捕集分だけ粒子状物質の捕集効果を高めることができる。
【００４５】
一方、パティキュレートフィルタ９に供給される排ガスＷの温度が高くなると、温度感知変形部材１５は２点鎖線で示すように変形して支持架台１７を前進させ、パティキュレートフィルタ９の上流開口４ａを有する貫通セル４０の下流開口４ｂに目封じ針１６が嵌合して閉塞された閉位置に保持される。
【００４６】
これにより、上流開口４ａから貫通セル４０に導入された排ガスＷはセル壁７を通り抜けて上流側が目封じ５されたセル４に導かれるウォールスルーとなる。従って、排ガスＷがセル壁７を通り抜ける間に粒子状物質は効果的に濾過され、高い除去性能で粒子状物質が捕集される。パティキュレートフィルタ９に捕集された粒子状物質は排ガスＷの温度が高いことによって直ちに燃焼される。
【００４７】
上記したように、排ガスＷの温度を感知して変形する温度感知変形部材１５により可動目封じ手段１１の支持架台１７を移動させて、排ガスＷの温度が低い時は目封じ針１６により貫通セル４０の下流開口４ｂを開放してパティキュレートフィルタ９をフロースルータイプに切り換え、又、排ガスＷの温度が高い時には目封じ針１６により貫通セル４０のル下流開口４ｂを閉塞してパティキュレートフィルタ９をウォールスルータイプに切り換える操作を自動的に行うことができるので、産業用のディーゼルエンジン等のように燃料の噴射タイミングを電気制御するようにした複雑な装置を備えないディーゼルエンジンに対して簡単な構成のパティキュレートフィルタ９を容易に適用して粒子状物質の高い除去効果を発揮させることができる。
【００４８】
図８は、前記可動目封じ手段１１を移動させるセル切換手段１０の他の形態を示したものであり、このセル切換手段１０は、支持架台１７の下流に、円板１８の偏心位置に回転軸１９を固定したカム２０を設け、該カム２０の軸１９を電動モータ、油圧モータ或いはエアモータ等のアクチュエータ２１で回転駆動するようにした機械式駆動装置２２を設けた場合を示している。この形態では、図示しない温度計により排ガスＷの温度を計測し、検出した温度に基づいて、アクチュエータ２１を駆動してカム２０を回転させて、支持架台１７を排ガスＷの流動方向に移動させることにより、前記貫通セル４０の開閉を行うようにしている。又、図８に示した機械式駆動装置２２の形態は、図３の目封じ板１３を有する可動目封じ手段１１が備えられた形態にも同様に適用することができる。
【００４９】
図９は、可動目封じ手段１１がパティキュレートフィルタ９の下流側に配置された場合に適用される形態を示すもので、図９のように温度感知変形部材１５からなるセル切換手段１０によって可動目封じ手段１１を支持する構成において、温度感知変形部材１５を板ばね或いはコイルばね等の弾性部材からなる逃がし手段２３によって支持するようにし、これにより可動目封じ手段１１によって閉塞している貫通セル４０内が所定圧力以上に上昇した時に可動目封じ手段１１がパティキュレートフィルタ９から離反して退避できるようにしている。この形態によれば、セル壁７が目詰まりして貫通セル４０内が所定圧力以上に上昇した時に、可動目封じ手段１１がパティキュレートフィルタ９から自動的に離反するので、圧力の上昇によって生じ得る問題を未然に回避することができる。又、図９に示した逃がし手段２３の形態は、図３の目封じ板１３による可動目封じ手段１１を備えた形態にも同様に適用することができる。
【００５０】
上記形態に示したパティキュレートフィルタ９とセル切換手段１０の構成は、産業用のディーゼルエンジン以外にも、燃料の噴射タイミングを電気制御するようにした装置を備えない種々のディーゼルエンジンに適用することもできる。
【００５１】
なお、本発明の排ガス浄化方法及び装置は上記形態にのみ限定されるものではなく、目封じ板、支持架台、及び温度感知変形部材の形状、構成は種々変更し得ること、その他、本発明の要旨を逸脱しない範囲内において種々変更を加え得ることは勿論である。
【図面の簡単な説明】
【００５２】
【図１】本発明を実施する形態の一例としてのディーゼルエンジンの煙道に備えた排ガス浄化装置の全体図である。
【図２】本発明における可動目封じ手段の形態の一例を示す切断側面図である。
【図３】パティキュレートフィルタの構成と目封じ板を示す切断側面図である。
【図４】図３の目封じ板が移動した状態を示す切断側面図である。
【図５】目封じ板の貫通孔の配置を示す斜視図である。
【図６】本発明における可動目封じ手段の他の形態を示す切断側面図である。
【図７】支持架台における目封じ針の配置を示す斜視図である。
【図８】本発明におけるセル切換手段の他の形態を示す切断側面図である。
【図９】セル切換手段に備えた逃がし手段の形態を示す切断側面図である。
【図１０】従来のディーゼルエンジンの煙道に備えた排ガス浄化装置の全体図である。
【図１１】酸化触媒の切断側面図である。
【図１２】従来のパティキュレートフィルタの切断側面図である。
【符号の説明】
【００５３】
１  ディーゼルエンジン
２  煙道
３  酸化触媒
４  セル
４ａ        上流開口
４ｂ        下流開口
５  目封じ
７  セル壁
９  パティキュレートフィルタ
１０  セル切換手段
１１  可動目封じ手段
１２  貫通孔
１３  目封じ板
１５  温度感知変形部材（バイメタル、形状記憶合金）
１６  目封じ針
１７  支持架台
２２  機械式駆動装置
２３  逃がし手段
４０  貫通セル
Ｗ  排ガス
【図１】
2009133221.tif 000003
【図２】
2009133221.tif 000004
【図３】
2009133221.tif 000005
【図４】
2009133221.tif 000006
【図５】
2009133221.tif 000007
【図６】
2009133221.tif 000008
【図７】
2009133221.tif 000009
【図８】
2009133221.tif 000010
【図９】
2009133221.tif 000011
【図１０】
2009133221.tif 000012
【図１１】
2009133221.tif 000013
【図１２】
2009133221.tif 000014